(57)【要約】【課題】  金型等を必要とせず、帯状シート及び単純な溶着装置により連続生産が可能であり、さらに各種サイズのカード等保持具の生産も容易であり、安価なカード等保持具を提供する。【解決手段】  カードＣの横幅Ｗ１よりも広い幅Ｗ２を有する基板部５の片側に前記カードＣの横幅Ｗ１より狭めた幅Ｗ３を有する折畳み部６が連続させられた第１の帯状シート３の、前記折畳み部６の上面に該折畳み部６の外側に突出させて前記カードＣの横幅Ｗ１より少し広めの第２の帯状シート７が重ね合わされ、該第２の帯状シート７の適位置が前記折畳み部６に横線溶着１０され、さらに該折畳み部６及び前記第２の帯状シート７が前記第１の帯状シート３の基板部５の上面に折り畳まれて前記横線溶着部１０の上下にそれぞれカード収納部１ａ及び１ｂを残して該カード収納部１ａ及び１ｂの上端部１１及び下端部１２が前記第１の帯状シートの基板部５に溶着１３及び１４され、該溶着部１３及び１４を分割切断して構成される。【選択図】  図１
0003147880.tif 000002
【実用新案登録請求の範囲】
【請求項１】
カードの横幅よりも広い幅を有する基板部の片側に前記カードの横幅より狭めた幅を有する折畳み部が連続させられた第１の帯状シートの、前記折畳み部の上面に該折畳み部の外側に突出させて前記カードの横幅より少し広めの第２の帯状シートが重ね合わされ、該第２の帯状シートの適位置が前記折畳み部に横線溶着され、さらに該折畳み部及び前記第２の帯状シートが前記第１の帯状シートの基板部の上面に折り畳まれて前記横線溶着部の上下にそれぞれカード収納部を残して該カード収納部の上端部及び下端部が第１の帯状シートの基板部に溶着され、該溶着部を分割切断して構成したことを特徴とするカード等保持具。
【考案の詳細な説明】
【技術分野】
【０００１】
本考案は、帯状シートによる連続生産が可能であり、安価に提供でき、複数のカードと受給者証・医療証等の収納部を有するカード等保持具に関する。
【背景技術】
【０００２】
従来、一枚のシートを裁断することによって、矩形の背面部の両側にそれぞれ襠部を、又背面部の上下にそれぞれ蓋部と表面部を一体的に連接すると共に、その表面部に切込線によって舌状片部を設けた基体を形成し、該基体の背面部の内面上に、両側の襠部を折り重ねてから、その上に表面部を折り重ねて、更にその上に蓋部を折り重ねて折畳状態となし、蓋部の縁を表面部の舌状片部により挟み止め可能としてなるカード入れが提供されている（特許文献１）。
【特許文献１】実開平５−４３９１６号公報
【考案の開示】
【考案が解決しようとする課題】
【０００３】
前記従来のカード入れは、一枚のシートの裁断、襠部、蓋部、切込線による舌状片部の構成、さらに数回の折り重ね工程などに金型、その他の装置を必要とし、製造に手数を要し、しかも連続生産が不可能なものであった。
【０００４】
本考案は、複数のカードと受給者証・医療証等の収納部を有するカード入れに係り、金型等を必要とせず、帯状シート及び単純な溶着装置により連続生産が可能であり、さらに各種サイズのカード等保持具の生産も容易であり、安価なカード等保持具を提供することを目的とする。
【課題を解決するための手段】
【０００５】
前記目的を達成するために、本考案のカード等保持具は、カードの横幅よりも広い幅を有する基板部の片側に前記カードの横幅よりも狭めた幅を有する折畳み部が連続させられた第１の帯状シートの、前記折畳み部の上面に該折畳み部の外側に突出させて前記カードの横幅より少し広めの第２の帯状シートが重ね合わされ、該第２の帯状シートの適位置が前記折畳み部に横線溶着され、さらに前記折畳み部及び前記第２の帯状シートが前記第１の帯状シートの基板部の上面に折り畳まれて前記横線溶着部の上下にそれぞれカード収納部を残して該カード収納部の上端部及び下端部が前記第１の帯状シートの基板部に溶着され、該溶着部を分割切断して構成したものである。
【考案の効果】
【０００６】
本考案のカード等保持具は、金型等を必要とせず、帯状シート及び単純な溶着装置により連続生産が可能であり、さらに各種サイズのカード等保持具の生産も容易であり、安価に提供できるものである。
【考案を実施するための最良の形態】
【０００７】
以下に、本考案の実施形態を、図面を参照して詳細に説明する。図１は、本考案に係るカード等保持具の製造工程を示す説明図である。
【０００８】
本考案のカード等保持具は、表面に複数のカード収納部１ａ、１ｂとその背面部に受給者証・医療証等の収納部２が形成されたものである。なお、以下の説明において、「カードの横幅」とは、クレジットカード、保険証カード等の各種のカードが横書きであることに鑑みカードの長手方向を意味するものである。
【０００９】
以下に、本考案のカード等保持具の製造過程を説明する。図中、３は、ロール４に巻回されたポリプロピレン、塩化ビニール等のプラスチックからなる第１の帯状シートであり、カードＣの横幅Ｗ１より広い幅Ｗ２を有する基板部５の片側に前記カードＣの横幅Ｗ１より狭めた幅Ｗ３を有する折畳み部６が連続させられている。なお、前記基板部５の幅Ｗ２は、収納物に合わせて適宜変更することが可能である。
【００１０】
図中、７は、ロール８に巻回されたポリプロピレン、塩化ビニール等のプラスチックからなる第２の帯状シートであり、前記第１の帯状シート３の前記折畳み部６に重ね合わせた時に該折畳み部６の外側に少し突出する突出部９が生じる幅Ｗ４を有する。具体的には、カードＣの横幅Ｗ１よりも広い幅であり且つ前記基板部５の幅Ｗ２よりも狭い幅Ｗ４である。
【００１１】
本考案のカード等保持具は、前記第１の帯状シート３と第２の帯状シート７とによって構成される。まず、前記第２の帯状シート７が前記第１の帯状シート３の前記折畳み部６に重ね合わされ、さらに、前記第２の帯状シート７の適位置が前記折畳み部６に横線溶着１０される（工程Ａ）。
【００１２】
すなわち、前記第１の帯状シート３の前記折畳み部６の全面及び該折畳み部６の外側に前記突出部９を突出させて前記第２の帯状シート７が重ね合わされて前記の横線溶着１０が行われる。この結果、第１の帯状シート３の基板部５と第２の帯状シート７が一体に構成される。
【００１３】
つぎに、前記第１の帯状シート３及び前記第２の帯状シート７がそれぞれロール４及び８に巻回されているため、前記横線溶着部１０の上下に前記カード収納部１ａ及び１ｂを残して該カード収納部１ａ及び１ｂの上端部１１及び下端部１２が切断される（工程Ｂ）。
【００１４】
つぎに、前記折畳み部６及び前記第２の帯状シート７が前記第１の帯状シート３の基板部５上に折り畳まれる（工程Ｃ）。
【００１５】
そしてつぎに、前記折畳み部６及び前記第２の帯状シート７が前記第１の帯状シート３の上面に折り畳まれた状態において、前記カード収納部１ａ及び１ｂの前記上端部１１及び下端部１２が前記第１の帯状シート３の前記基板部５に溶着１３及び１４され、該溶着部１１及び１２の中央部が同時に切断されて複数のカード収納部１ａ、１ｂと受給者証、医療証等の収納部２が構成された本考案に係るカード等保持具が完成する（工程Ｄ）。
【００１６】
前記構成の本考案のカード等保持具は、前記カード収納部１ａ及び１ｂの口部に前記第２の帯状シート７の突出部９が突出させられており、したがって、カードを容易に滑り収納することができる。さらに、受給者証・医療証等の収容部の口部に前記第１の帯状シート３の基板部５が突出させられており、したがって、受給者証・医療証等を容易に滑り収納することができる。また、上記いずれの場合もその後のカード、受給者証・医療証等の取り出しも容易である。
【産業上の利用可能性】
【００１７】
本考案に係るカード等保持具は、金型等を必要とせず、帯状シート及び単純な溶着装置により連続生産が可能であり、さらに各種サイズのカード保持具の生産も容易であり、安価に提供できるため産業上の利用可能性は大である。
【図面の簡単な説明】
【００１８】
【図１】本考案に係るカード等保持具の製造工程を示す参考図である。
【符号の説明】
【００１９】
３    第１の帯状シート
５    基板部
６    折畳み部
７    第２の帯状シート
１０  横線溶着部
１１  上端部
１２  下端部
１３  溶着部
１４  溶着部
【図１】
0003147880.tif 000003